(57)【要約】【課題】  従来に比べてスリット内側部とその近傍が塑性変形することを抑制できるクリップの提供。【解決手段】第１の部品４０に設けられており第２の部品５０に設けられる係合孔５１に差し込まれるクリップ１０であって、クリップ１０は、第１の部品４０から突出して設けられる板状部２０を有しており、板状部２０は、突出方向中間部に設けられる一対のスリット２１と、一対のスリット２１の内側に位置するスリット内側部２２と、スリット内側部２２に設けられスリット内側部２２が変形して復元することにより係合孔５１の縁部に係合する係合爪部２３と、を備えており、板状部２０のスリット内側部２２に、屈曲部２２ａまたは湾曲部２２ｂが設けられている、クリップ１０。【選択図】        図２
2010007808.tif 000002
【特許請求の範囲】
【請求項１】
第１の部品に設けられており第２の部品に設けられる係合孔に差し込まれるクリップであって、
前記クリップは、前記第１の部品から突出して設けられる板状部を有しており、
前記板状部は、突出方向中間部に設けられる一対のスリットと、該一対のスリットの内側に位置するスリット内側部と、該スリット内側部に設けられ該スリット内側部が変形して復元することにより前記係合孔の縁部に係合する係合爪部と、を備えており、
前記板状部のスリット内側部に、屈曲部または湾曲部が設けられている、クリップ。
【発明の詳細な説明】
【技術分野】
【０００１】
本発明は、第１の部品に設けられ第２の部品に設けられる係合孔に差し込まれるクリップに関する。
【背景技術】
【０００２】
従来のクリップ１は、図９、図１０に示すように、第１の部品４から突出して設けられる平板状の板状部２を有している。板状部２は、突出方向中間部に設けられる一対のスリット２ａと、一対のスリット２ａの内側に位置するスリット内側部２ｂと、スリット内側部２ｂに設けられスリット内側部２ｂとその近傍が変形して復元することにより第２の部品５に設けられる係合孔５ａの縁部に係合する係合爪部２ｃと、を備えている。
板状部２のスリット内側部２ｂは平板形状である。
【０００３】
しかし、従来のクリップ１には、次の問題点がある。
スリット内側部２ｂが平板形状であるため、図１１に示すように、係合爪部２ｃを係合孔５ａの縁部に係合させるためにスリット内側部２ｂとその近傍を変形させるとき、スリット内側部２ｂとその近傍が引っ張られて伸びる必要がある。そのため、スリット内側部２ｂとその近傍が塑性変形し、スリット内側部２ｂとその近傍に白化、これに伴うひび、割れが生じるおそれがある。
スリット内側部２ｂとその近傍に白化等が生じると、クリップ１、ひいてはクリップ１が設けられる第１の部品４の製品としての価値（物性）が低下してしまう。
【特許文献１】特開２００７−２３２１６３号公報
【発明の開示】
【発明が解決しようとする課題】
【０００４】
本発明の目的は、従来に比べてスリット内側部とその近傍が塑性変形することを抑制できるクリップを提供することにある。
【課題を解決するための手段】
【０００５】
上記目的を達成する本発明はつぎの通りである。
（１）  第１の部品に設けられており第２の部品に設けられる係合孔に差し込まれるクリップであって、
前記クリップは、前記第１の部品から突出して設けられる板状部を有しており、
前記板状部は、突出方向中間部に設けられる一対のスリットと、該一対のスリットの内側に位置するスリット内側部と、該スリット内側部に設けられ該スリット内側部が変形して復元することにより前記係合孔の縁部に係合する係合爪部と、を備えており、
前記板状部のスリット内側部に、屈曲部または湾曲部が設けられている、クリップ。
【発明の効果】
【０００６】
上記（１）のクリップによれば、板状部のスリット内側部に屈曲部または湾曲部が設けられているため、スリット内側部とその近傍を伸ばさなくてもスリット内側部に曲げ変形ができるだけの長さを確保することができる。そのため、係合爪部を係合孔の縁部に係合させるためにスリット内側部を変形させるとき、スリット内側部を伸ばすことなく曲げ変形させることができる。
また、スリット内側部に屈曲部または湾曲部が設けられているため、屈曲部または湾曲部が設けられていない場合（従来）に比べて、スリット内側部の板状部面直方向の曲げ剛性を小さくすることができる。
したがって、従来よりも軽い力でスリット内側部を変形させることができ、従来に比べて、スリット内側部とその近傍が塑性変形することを抑制できる。
【発明を実施するための最良の形態】
【０００７】
以下に、本発明実施例のクリップを、説明する。
図１〜図４は、本発明実施例１のクリップを示しており、図５、図６は、本発明実施例１の変形例のクリップを示しており、図７、図８は、本発明実施例２のクリップを示している。
本発明全実施例にわたって共通する部分には、本発明全実施例にわたって同じ符号を付してある。
まず、本発明全実施例にわたって共通する部分を、たとえば図１、図２、図４、図７を参照して、説明する。
【０００８】
本発明実施例のクリップ１０は、図２に示すように、第１の部品４０に第１の部品４０から突出して設けられている。以下、クリップ１０の第１の部品４０からの突出方向をクリップ突出方向という。
クリップ１０は、第２の部品５０に設けられる係合孔５１に差し込まれて第１の部品４０を第２の部品５０に組付ける（取付ける）ために設けられている。
【０００９】
第１、第２の部品４０，５０は、ともに樹脂製部品であり、とくに車両に用いられる樹脂製部品である。第１の部品４０は、たとえば、車両の内装部品であるインストルメントパネルと別体に形成されてインストルメントパネルに取付けられる部品であり、車両のセンターロアパネル、レジスタ、運転席の前方に配置されるロアパネル等である。第２の部品５０は、たとえばインストルメントパネルである。ただし、第１、第２の部品４０，５０は、上記に限定されるものではなく、互いに別体品であり互いに組付けられる（取付けられる）部品であればよい。
【００１０】
クリップ１０は、一部品構成である。クリップ１０は、第１の部品４０に一体に形成されていてもよく、第１の部品４０と別体に形成されて第１の部品４０に固定して取付けられていてもよい。
クリップ１０は、図１に示すように、第１の部品４０からクリップ突出方向と同方向に突出して設けられる板状部２０と、板状部２０を補強し板状部２０（クリップ１０）が折れてしまうことを抑制する一対の平板状のリブ３０と、を有する。
【００１１】
板状部２０のクリップ突出方向先端部は、クリップ１０を容易に係合孔５１に差し込むことができるように、先細り形状となっていることが望ましい。
板状部２０は、クリップ突出方向中間部に設けられる一対のスリット２１と、一対のスリット２１の内側に位置するスリット内側部２２と、スリット内側部２２に設けられスリット内側部２２（その近傍を含んでいてもよい）が変形して復元することにより係合孔５１の縁部に係合する係合爪部２３と、を備える。
【００１２】
一対のスリット２１は、スリット内側部２２を板状部２０の面直方向に弾性変形可能にするために設けられている。一対のスリット２１は、クリップ突出方向と直交する方向に互いに間隔をおいて、クリップ突出方向に延びて設けられている。一対のスリット２１の延び方向長さは、同じである。
【００１３】
スリット内側部２２は、板厚が一定または略一定である。スリット内側部２２の板厚は、従来のスリット内側部の板厚と同じであってもよく、従来のスリット内側部の板厚より厚く設定されていてもよく、従来のスリット内側部の板厚より薄く設定されていてもよい。スリット内側部２２は、クリップ突出方向の両端部で、一対のスリット２１の外側に位置するスリット外側部２４と連なっている。
【００１４】
スリット内側部２２には、（ａ）図２に示すように、クリップ突出方向の少なくとも一箇所に板状部２０の面直方向に屈曲する屈曲部２２ａ、または、（ｂ）図７に示すように、クリップ突出方向の少なくとも一部に板状部２０の面直方向に湾曲する湾曲部２２ｂが少なくとも１つ設けられている。
【００１５】
屈曲部２２ａまたは湾曲部２２ｂが設けられているため、スリット内側部２２の、クリップ突出方向の一端部から他端部までの長さＬは、屈曲部２２ａまたは湾曲部２２ｂが設けられていない場合に比べて長い。スリット内側部２２の長さＬは、スリット内側部２２が引っ張られて伸びることなく（長さＬが変わることなく）、スリット内側部２２が曲げ変形して（撓んで）復元することで係合爪部２３を係合孔５１の縁部に係合させることができる程度以上とされている。
また、スリット内側部２２に屈曲部２２ａまたは湾曲部２２ｂが設けられているため、スリット内側部２２の板状部面直方向の曲げ剛性は屈曲部２２ａまたは湾曲部２２ｂが設けられていない場合に比べて小さく、スリット内側部２２を容易に板状部面直方向に曲げ変形させることができるようになっている。
【００１６】
屈曲部２２ａまたは湾曲部２２ｂは、スリット内側部２２が係合孔５１の縁部に摺接しないように、一対のリブ３０間部分に位置するように（一対のリブ３０間部分からはみ出さないように）されている。これは、係合受け部２３だけでなくスリット内側部２２が係合孔５１の縁部に摺接することで、第１の部品４０の第２の部品５０への組付け荷重（クリップ１０の係合孔５１の縁部への係合荷重）の調節が困難になることを抑制するためである。
【００１７】
係合爪部２３は、スリット内側部２２のクリップ突出方向中央部またはその近傍に設けられている。係合爪部２３は、スリット内側部２２から板状部２０の面直方向一側に膨出して設けられている。係合爪部２３は、中実であり、曲げ変形しないかまたはしても無視できる程度とされている。
係合爪部２３のクリップ突出方向の両側面は、係合爪部２３の係合孔５１への係脱性を向上させ第１の部品４０の第２の部品５０への脱着性を向上させるために、傾斜面２３ａとなっている。なお、傾斜面２３ａの傾斜角度を調節することで、係合爪部２３の係合孔５１への係脱荷重を調節することができる。
【００１８】
リブ３０は、板状部２０の両側に配置されている。リブ３０は、板状部２０の、板状部２０の面内方向でクリップ突出方向と直交する方向の端部に設けられている。
リブ３０のクリップ突出方向中間部には、段差部３１が設けられている。リブ３０の段差部３１よりもクリップ突出方向先端側の部分は、係合孔５１を挿通可能とされており、リブ３０の段差部３１よりもクリップ突出方向根元側（第１の部品４０側）の部分は、係合孔５１を挿通不能とされている。図４に示すように、第１の部品４０が第２の部品５０に組付けられているとき、係合爪部２３と段差部３１とで第２の部品５０をクリップ突出方向両側から挟み込んでいる。
リブ３０のクリップ突出方向根元側端部は、第１の部品４０に連なっている。
【００１９】
ここで、本発明全実施例にわたって共通する作用を説明する。
本発明実施例では、板状部２０のスリット内側部２２に、板状部２０の面直方向に屈曲または湾曲する屈曲部２２ａまたは湾曲部２２ｂが設けられているため、屈曲部２２ａまたは湾曲部２２ｂが設けられていない場合（従来）に比べて、スリット内側部２２のクリップ突出方向の一端部から他端部までの長さＬが長くなる。そのため、スリット内側部２２に、スリット内側部２２とその近傍のスリット外側部２４部分を伸ばさなくても曲げ変形できるだけの（撓むことができるだけの）長さを確保することができる。そのため、係合爪部２３を係合孔５１の縁部に係合させるためにスリット内側部２２を変形させるとき、スリット内側部２２を伸ばすことなく（無視できる程度の伸びを含む）曲げ変形させることができる。
また、スリット内側部２２に屈曲部２２ａまたは湾曲部２２ｂが設けられているため、屈曲部２２ａまたは湾曲部２２ｂが設けられていない場合（従来）に比べて、スリット内側部２２の板状部面直方向の曲げ剛性を小さくすることができる。
したがって、従来よりも軽い力でスリット内側部２２を弾性変形（曲げ変形）させることができ、従来に比べて、スリット内側部２２とその近傍が塑性変形することを抑制できる。その結果、従来に比べて、スリット内側部２２とその近傍に白化、これに伴うひび、割れが生じることを抑制できる。
【００２０】
スリット内側部２２とその近傍に白化等が生じることを従来に比べて抑制できるため、第１の部品４０を第２の部品５０に複数回（従来よりも多い回数）脱着させることができる。
【００２１】
クリップ１０が第１の部品４０に一体に形成される場合、クリップ１０が第１の部品４０と別体に形成される場合に比べて、部品点数、質量、コスト、リサイクル性に有利である。
【００２２】
つぎに、本発明各実施例に特有な部分を説明する。
〔実施例１〕（図１〜図４）
本発明実施例１では、スリット内側部２２に、クリップ突出方向の少なくとも一箇所（図示例では一箇所のみ）に板状部２０の面直方向に屈曲する屈曲部２２ａが設けられている場合を示している。
【００２３】
屈曲部２２ａは、スリット内側部２２の、クリップ突出方向の中央部またはその近傍に設けられている。
係合受け部２３は、屈曲部２２ａとその近傍に設けられている。すなわち、係合受け部２３のクリップ突出方向先端側は、屈曲部２２ａよりもクリップ突出方向先端側のスリット内側部２２部分に位置しており、係合受け部２３のクリップ突出方向根元側は、屈曲部２２ａよりもクリップ突出方向根元側のスリット内側部２２部分に位置している。
【００２４】
なお、本発明実施例１では、係合受け部２３が屈曲部２２ａとその近傍に設けられている場合を説明したが、図５、図６に示す本発明実施例１の変形例にて示すように、係合受け部２３は、屈曲部２２ａよりもクリップ突出方向先端側のスリット内側部２２部分にのみ設けられていてもよい。また、図示はしないが、係合受け部２３は、屈曲部２２ａよりもクリップ突出方向根元側のスリット内側部２２部分にのみ設けられていてもよい。
【００２５】
〔実施例２〕（図７、図８）
本発明実施例２では、スリット内側部２２に、クリップ突出方向の少なくとも一部（図示例では全部）に板状部２０の面直方向に湾曲する湾曲部２２ｂが少なくとも１つ（図示例では１つのみ）設けられている場合を示している。
【図面の簡単な説明】
【００２６】
【図１】本発明実施例１のクリップの斜視図である。
【図２】本発明実施例１のクリップとその近傍の、係合爪部が係合孔の縁部に係合していないときの断面図である。
【図３】本発明実施例１のクリップとその近傍の、係合爪部を係合孔の縁部に係合させるためにスリット内側部が曲げ変形しているときの断面図である。
【図４】本発明実施例１のクリップとその近傍の、係合爪部が係合孔の縁部に係合しているときの断面図である。
【図５】本発明実施例１の変形例のクリップの斜視図である。
【図６】本発明実施例１の変形例のクリップの断面図である。
【図７】本発明実施例２のクリップとその近傍の、係合爪部が係合孔の縁部に係合していないときの断面図である。
【図８】本発明実施例２のクリップとその近傍の、係合爪部を係合孔の縁部に係合させるためにスリット内側部が曲げ変形しているときの断面図である。
【図９】従来のクリッの斜視図である。
【図１０】従来のクリップとその近傍の、係合爪部が係合孔の縁部に係合していないときの断面図である。
【図１１】従来のクリップとその近傍の、係合爪部を係合孔の縁部に係合させるためにスリット内側部が変形しているときの断面図である。
【符号の説明】
【００２７】
１０  クリップ
２０  板状部
２１  スリット
２２  スリット内側部
２２ａ  屈曲部
２２ｂ  湾曲部
２３  係合爪部
２４  スリット外側部
３０  リブ
３１  段差部
４０  第１の部品
５０  第２の部品
５１  係合孔
【図１】
2010007808.tif 000003
【図２】
2010007808.tif 000004
【図３】
2010007808.tif 000005
【図４】
2010007808.tif 000006
【図５】
2010007808.tif 000007
【図６】
2010007808.tif 000008
【図７】
2010007808.tif 000009
【図８】
2010007808.tif 000010
【図９】
2010007808.tif 000011
【図１０】
2010007808.tif 000012
【図１１】
2010007808.tif 000013